(57)【要約】【課題】内箱にリボン等の突起物を取り付けた場合に、当該突起物を保護できる外箱を備えた包装用箱を提供する。【解決手段】内箱２の外面２ａと、この外面２ａが対向する外箱３の内面３ｃとの間に所定の隙間Ｓが設けられ、外箱３に、内箱２の外面２ａの一部に当接する当接部１０が隙間Ｓに張り出すようにして設けられているので、当該当接部１０によって内箱２は隙間Ｓにおいて外箱３の内面３ｃ側への移動が規制される。したがって、内箱２の外面２ａに隙間Ｓに収まるリボン等の突起物７を取り付けることによって、当該突起物７を保護できる。【選択図】図１
2015129009.tif 000002
【特許請求の範囲】
【請求項１】
内部に物品が収納される内箱と、この内箱が収納される外箱とを備えた包装用箱であって、
前記内箱の外面と、この外面に対向する前記外箱の内面との間に所定の隙間が設けられ、
前記外箱に、前記内箱の外面の一部に当接する当接部が前記隙間に張り出すようにして設けられていることを特徴とする包装用箱。
【請求項２】
前記外箱に切込みが形成されることによって、当該外箱にその外壁の一部が前記外箱の内側に向けて押し込み可能となる押込み部が設けられ、
この押込み部が前記外箱の内側に向けて押し込まれることによって、前記当接部が設けられていることを特徴とする請求項１に記載の包装用箱。
【請求項３】
前記切込みが、前記外箱の外面とこの外面に交差する他の外面との角部において平行に二つ形成され、当該二つの切込みに挟まれた外壁の一部が前記押込み部とされ、
この押込み部が前記外箱の前記外面の面方向において対向する角部にそれぞれ設けられていることを特徴とする請求項２に記載の包装用箱。
【発明の詳細な説明】
【技術分野】
【０００１】
本発明は、ギフトボックス等として好適に使用できる包装用箱に関する。
【背景技術】
【０００２】
贈り物用のギフトボックス等の包装用箱は、内部に物品を収納したうえで、リボン等が取り付けられることがある。リボン等は例えば包装用箱の上面に取り付けられるため、包装用箱の上面（表面）から突出する突起物となる。
このようなリボン等の突起物は、包装用箱の内部に収納された物品と異なり、保護されていないため、宅配便や郵送等で贈る場合、当該突起物（リボン）が変形・破損したり、汚れたりするおそれがある。
このため、リボン等の突起物を保護するために、当該突起物が取り付けられた包装用箱（内箱）を、さらに搬送用の外箱に入れることもある。この外箱は、リボン等の突起物を収めるために、内箱より大きく形成される。
【０００３】
このような外箱と内箱との二重構造を有する包装用箱に一例として特許文献１に記載の包装用箱が知られている。
この包装用箱では、内箱の底面側が外箱の開口面に比べて小さく、かつ、内箱の上面側が外箱の開口面に略等しくなっているので、内箱を外箱に挿入する際に、内箱の底面部分が外箱の開口面の縁に引っ掛かりにくくすることができる。
【先行技術文献】
【特許文献】
【０００４】
【特許文献１】特開２００８−１１４８６６号公報
【発明の概要】
【発明が解決しようとする課題】
【０００５】
しかしながら、前記特許文献１に記載の包装用箱や、内箱より外箱が大きく形成された包装用箱では、内箱にリボン等の突起物を取り付けた場合、搬送中等に内箱が外箱内で上下に移動すると、リボン等の突起物が外箱の内面に衝突して、当該突起物が変形・破損するおそれがある。
【０００６】
本発明は前記事情に鑑みてなされたもので、内箱にリボン等の突起物を取り付けた場合に、当該突起物を保護できる外箱を備えた包装用箱を提供することを目的としている。
【課題を解決するための手段】
【０００７】
前記目的を達成するために、本発明の包装用箱は、内部に物品が収納される内箱と、この内箱が収納される外箱とを備えた包装用箱であって、
前記内箱の外面と、この外面に対向する前記外箱の内面との間に所定の隙間が設けられ、
前記外箱に、前記内箱の外面の一部に当接する当接部が前記隙間に張り出すようにして設けられていることを特徴とする。
【０００８】
本発明においては、外箱に、内箱の外面の一部に当接する当接部が内箱の外面と外箱の内面との間の隙間に張り出すようにして設けられているので、当該当接部によって内箱は隙間において外箱の内面側への移動が規制される。
したがって、内箱の外面に前記隙間に収まるリボン等の突起物を取り付けることによって、当該突起物を保護できる。
【０００９】
本発明の前記構成において、前記外箱に切込みが形成されることによって、当該外箱にその外壁の一部が前記外箱の内側に向けて押し込み可能となる押込み部が設けられ、
この押込み部が前記外箱の内側に向けて押し込まれることによって、前記当接部が設けられていることが好ましい。
【００１０】
このような構成によれば、外箱の内側に押込み部を押し込む前に、外面にリボン等の突起物が取り付けられた内箱を外箱に挿入したうえで、押込み部を外箱の内側に向けて押し込むことによって、内箱の外面の一部に当接する当接部を設けることができる。
したがって、外面にリボン等の突起物が取り付けられた内箱を外箱に前記当接部に干渉することなく挿入できるとともに、挿入後に押込み部を押し込むことによって設けられた当接部によって、前記隙間において内箱の外箱の内面側への移動を確実に規制できる。
【００１１】
また、本発明の前記構成において、前記切込みが、前記外箱の外面とこの外面に交差する他の外面との角部において平行に二つ形成され、当該二つの切込みに挟まれた外壁の一部が前記押込み部とされ、
この押込み部が前記外箱の前記外面の面方向において対向する角部にそれぞれ設けられていることが好ましい。
【００１２】
このような構成によれば、押込み部を押し込むことによって、外箱の外面の面方向において対向する角部に当接部を設けることができる。
したがって、両当接部によって前記隙間において内箱の外箱の内面側への移動を確実かつ安定的に規制できる。
【発明の効果】
【００１３】
本発明によれば、外箱に設けられ、かつ内箱の外面の一部に当接する当接部によって内箱が隙間において外箱の内面側への移動が規制されるので、内箱の外面に前記隙間に収まるリボン等の突起物を取りけることによって、当該突起物を保護できる。
【図面の簡単な説明】
【００１４】
【図１】本発明に係る包装用箱の一例を示すもので、その斜視図である。
【図２】同、包装用箱の断面図である。
【図３】同、外箱の斜視図である。
【図４】同、内箱の内部構造を示す斜視図である。
【図５】同、内箱にリボンを取り付けた状態を示す斜視図である。
【図６】同、外箱に内箱を挿入する方法を示すもので、（ａ）は外箱の断面図、（ｂ）は外箱に内箱を収納した状態を示す断面図、（ｃ）は外箱に当接部を設けた状態を示す断面図である。
【発明を実施するための形態】
【００１５】
以下、本発明の実施の形態について図面を参照して説明する。
図１は、本発明に係る包装用箱の一例を示す斜視図、図２は同包装用箱の断面図、図３は外箱の斜視図、図４は内箱の内部構造を示す斜視図、図５は内箱にリボンを取り付けた状態を示す斜視図、図６は外箱に内箱を収納する方法を示す断面図である。
【００１６】
図１〜図５に示すように、本実施の形態に係る包装用箱１は、物品６が収納される内箱２と、この内箱２が収納される外箱３とによって構成されている。
内箱２は、図４および図５に示すように、厚紙等で形成された直方体状の箱であり、上面開口部が蓋５によって開閉されるようになっている。
【００１７】
内箱２の内部には、矩形状の枠体４が設けられており、この枠体４の内側に、内箱２の長手方向に沿う仕切壁４ａと、当該仕切壁４ａと直交する複数の仕切壁４ｂとが設けられており、枠体４と、仕切壁４ａ，４ｂとで囲まれた部分が収納部４ｃとされ、当該収納部４ｃに例えばバラの花首等が物品６として収納されている。枠体４の左右方向の長さは内箱２より短くなっており、この枠体４の右側の壁部と内箱２の右側の壁部との間に、前記収納部４ｃより大きい大収納部４ｄが設けられ、この収納部４ｄに他の物品を収納するようになっている。
【００１８】
前記蓋５は、その長辺方向に沿う一縁部を軸として上下に折り曲げ可能となっており、これによって、内箱２の上面開口部を開閉するようになっている。また、蓋５の長辺方向に沿う他縁部には差込片５ａが設けられており、この差込片５ａを前記枠体４の前側の壁部と内箱２の前側の壁部との間の隙間に差し込むことによって、蓋５を閉じた状態で保持できるようになっている。
また、蓋５の略中央部には、内部の物品６を目視可能とする左右に長尺な長方形状の窓部５ｂが設けられている。この窓部５ｂには透明フィルムが設けられていてもよいし、当該透明フィルムは無くてもよい。
【００１９】
内部に物品６が収納された内箱２は蓋５によって閉じられたうえで、贈答用としてのリボン７が取り付けられている。このリボン７は、内箱２の上面（外面）２ａに取り付けられ、当該内箱２の上面（外面）２ａから突出する突起物７となっている。また、リボン（突起物）７は内箱２の上面（外面）２ａの右側端部に配置されているが、本実施の形態では、当該リボン（突起物）７は内箱２の上面２ａであればどこに配置しても構わない。
【００２０】
前記外箱３は、図１〜図３に示すように、厚紙等で形成された直方体状の箱であり、右端開口部が蓋８ａ，８ｂ，８ｂによって開閉されるようになっている。蓋８ａは下縁部を軸として上下に折り曲げ可能となっており、蓋８ｂは上下方向に沿う縁部を軸として左右に折り曲げ可能となっている。そして、外箱３の右端開口部は、蓋８ｂ，８ｂを内側に折り曲げたうえで、蓋８ａを上側に折り曲げ、差込片８ｃを外箱３の上壁の内面側に差し込むことよって、閉じられるようになっている。
【００２１】
外箱３は、その左右の長さおよび前後の長さ（幅）が内箱２の左右の長さおよび前後の長さ（幅）とほぼ等しいか若干大きく形成されている。また、外箱３の高さは、内箱３の高さより高くなっており、これによって、内箱２の上面（外面）２ａと、この上面が対向する外箱３の内面３ｃとの間に所定の隙間Ｓが設けられている（図２参照）。
この隙間Ｓの上下の寸法は、前記リボン７の内箱２の上面２ａからの突出高さより大きく設定されている。
【００２２】
また、外箱３には、内箱２の上面（外面）２ａの一部に当接する当接部１０が前記隙間Ｓに張り出すようにして設けられている。
当接部１０は、外箱３の上面（外面）３ａとこの外面３ａに交差する他の外面（側面）３ｂとの角部に内側に凹むようにして設けられている。当接部１０，１０は断面Ｌ字形に形成され、外箱３の上面（外面）３ａの面方向において対向する角部に対向して配置されている。
また、当接部１０は外箱３の長手方向の略中央部における前記角部に設けられており、当該当接部１０の長さおよび幅（外箱３の短辺方向における長さ）は適宜設定される。
【００２３】
このような当接部１０は、外箱３に切込み１１が形成されることによって、当該外箱３にその外壁の一部が外箱３の内側に向けて押し込み可能となる押込み部１３が設けられ、この押込み部１３が外箱３の内側に向けて押し込まれることによって、設けられている。
すなわちまず、図３に示すように、外箱３の上面（外面）３ａと、この上面３ａに交差する側面（他の外面）３ｂとの角部に、切込み１１，１１が連続しかつ所定間隔で平行に二つ形成されている。
切込み１１，１１はそれぞれＬ字形に形成されており、切込み１１，１１の端部どうしは弱化線１２，１２によって接続されている。この弱化線１２は外箱３の上面３ａおよび側面３ｂに僅かな深さの切込みを入れて形成されたものであり、前記切込み１１が外箱３の上面３ａおよび側面３ｂからそれらの裏面まで完全に切り込んで形成されて、切込み１１の部分では外箱３を形成する紙が完全に切り離されているのに対し、弱化線１２の部分では外箱３を形成する紙は切り離されていない。このような弱化線１２は、後述するように、切込み１１，１１に挟まれた外箱３の外壁の一部（押込み部１３）を内側に押込み易くするために形成されたものであり、特に必要が無ければ弱化線１２は形成する必要はない。
【００２４】
前記切込み１１，１１に挟まれた外箱３の外壁の一部が押込み部１３とされている。そして、この押込み部１３が外箱３の内側に向けて押し込まれることによって、図１および図２に示すように、前記当接部１０が設けられている。
押込み部１３を外箱３の内側に向けて押し込むと、前記弱化線１２，１２で押込み部１３が内側に折れ曲がるとともに、当該押込み部１３の角部が内側に折れ込んで、内側に突出する角部となる。
このようにして形成された当接部１０は断面Ｌ字形となっており、その下片部が内箱２の上面２ａの対向する両側部に当接し、これによって、内箱２の外箱３の内面３ｃ側への移動（図１および図２において上側の移動）を規制している。
【００２５】
次に、物品６が収納され、リボン７が取り付けられた内箱２を外箱３に収納する方法について説明する。
まず、図３および図６（ａ）に示すように、切込み１１が形成された外箱３の蓋８ａ，８ｂを開けて、当該外箱３の右端開口部を開放する。
次に、図６（ｂ）に示すように、前記内箱２を外箱３の右端開口部から挿入していき、当該外箱３内に完全に収納する。
次に、図６（ｃ）に示すように、前記押込み部１３を外箱３の内側に向けて押し込む。すると、前記弱化線１２，１２で押込み部１３が内側に折れ曲がるとともに、当該押込み部１３の角部が内側に折れ込んで、内側に突出する角部となり、これによって、当接部１０，１０が前記隙間Ｓに張り出すようにして設けられて、その下片部が内箱２の上面２ａの対向する両側部に当接する。
これによって、内箱２の外箱３の内面３ｃ側への移動（図６（ｃ）において上側の移動）が規制される。
前記のようにして、当接部１０，１０を設けて内箱２の移動を規制した後、前記蓋８ａ，８ｂ，８ｂを閉じて、外箱３への内箱２の収納を終了する。
【００２６】
このように本実施の形態によれば、外箱３に、内箱２の外面２ａの両側部に当接する当接部１０，１０が前記隙間Ｓに張り出すようにして設けられているので、当該当接部１０，１０によって内箱は隙間Ｓにおいて外箱３の内面３ｃ側への移動が規制される。
したがって、内箱２の外面２ａに、前記隙間Ｓに収まるリボン等の突起物７を取り付けることによって、当該突起物７を保護できる。
【００２７】
また、外箱３の内側に押込み部１３を押し込む前に、外面２ａにリボン等の突起物７が取り付けられた内箱２を外箱３に挿入したうえで、前記押込み部１３を外箱３の内側に向けて押し込むことによって、内箱２の外面（上面）２ａの両側部に当接する当接部１０，１０を設けることができる。
したがって、外面２ａにリボン等の突起物７が取り付けられた内箱２を外箱３に、当接部１０に干渉することなく挿入できるとともに、挿入後に押込み部１３を押し込むことによって設けられた当接部１０によって、隙間Ｓにおいて内箱２の外箱３の内面３ｃ側への移動を確実に規制できる。
さらに、押込み部１３，１３が外箱３の上面３ａの面方向において対向する角部に対向して設けられているので、当該押込み部１３，１３を押し込むことによって、外箱３の対向する角部に当接部１０，１０を対向して設けることができる。
したがって、両当接部１０，１０が内箱２の上面２ａの対向する両側部にそれぞれ当接するので、内箱２の外箱３の内面３ｃ側への移動を確実かつ安定的に規制できる。
【００２８】
なお、本実施の形態では、外箱３内に内箱２を挿入した後、押込み部１３を外箱３の内側に押し込んで当接部１０を設けたが、これとは逆に、押込み部１３を外箱３の内側に押し込んで当接部１０を設けた後、当該当接部１０が設けられた外箱３内に前記内箱２を挿入してもよい。
また、本実施の形態では、外箱３の上面３ａと側面３ｂの角部に当接部１０を１つ設けたが、当該当接部１０を複数設けてもよい。
【００２９】
さらに、本実施の形態では、当接部１０を外箱３の上面３ａと側面３ｂの角部に設けたが、当接部は角部以外に設けてもよい。例えば、外箱３の上面３ａの略中央部に、内側に張り出すようにして設けてもよい。
この場合、例えば、外箱３の上面３ａに二つの切込みを平行に形成するとともに、これら切込み間にさらに切込みを形成することによって、この切込みの両側にそれぞれ押込み部を設け、両押込み部を外箱３の内側に向けて略直角に折り曲げることによって、当接部を設けることができる。
【符号の説明】
【００３０】
１  包装用箱
２  内箱
２ａ  上面（外面）
３  外箱
３ａ  上面（外面）
３ｂ  側面（他の外面）
３ｃ  内面
６  物品
７  リボン（突起物）
１０  当接部
１１  切込み
１３  押込み部
Ｓ  隙間
【図１】
2015129009.tif 000003
【図２】
2015129009.tif 000004
【図３】
2015129009.tif 000005
【図４】
2015129009.tif 000006
【図５】
2015129009.tif 000007
【図６】
2015129009.tif 000008